【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
歩行中の人体を支持するのに、石突部と柄部が弾性体を介して上下動自在に連結し所定以上の荷重が掛かった時に補助脚が下動して路面に接地するように先端部を二重構造とした、複数脚を備える多点支持の杖であって、杖本体（１）は把持部（８）と一体になる軸中心として位置する柄管（１２）と、該柄管（１２）に備わる弾性体（５）に石突先端方向に付勢されながら摺動自在に該柄管（１２）に嵌合した石突スライド軸（４）と、一端が前記柄管（１２）と回動可能に連結し別の一端が両端の結合が回動可能なる連結棒（３）を介して前記石突スライド軸（４）と連結する前記柄管（１２）の外周面下部に設けられた断面が円弧状の構造体である補助脚（２）とを有し、杖本体（１）の石突部を路面に突くと前記石突スライド軸（４）の把持部方向への摺動に伴って前記補助脚（２）を軸中心から放射状に張り出して該補助脚（２）の下端部を前記石突スライド軸（４）の下端と同一平面上に接地し、杖本体（１）の把持部を持ち上げると前記弾性体（５）の付勢力による前記石突スライド軸（４）の石突先端方向への摺動に伴って前記補助脚（２）を前記柄管（１２）の中心軸に沿って該補助脚（２）の下端部を前記石突スライド軸（４）の下端よりも上方に前記柄管（１２）及び該石突スライド軸（４）の外周面に折畳んで仕舞い込む杖。
【請求項２】
前記補助脚（２）が折畳んで仕舞い込まれている時に前記連結棒（３）が鉛直線上よりも前記柄管（１２）の中心軸方向へは傾かずに必ず放射方向に傾いた恰好に規定される様に、前記補助脚（２）の内側下部に、前記連結棒（３）と前記石突スライド軸（４）との連結部に当接する、受け（７）を設けた請求項１記載の杖。
【請求項３】
請求項１または請求項２記載の杖において、前記石突部の先端にキャスター等の路面上の移動における摩擦抵抗を軽減する部材を取り付けて前記補助脚（２）を転倒防止装置又はストッパーに利用する単数または複数箇所の足部を有する杖。
【手続補正２】
【補正対象書類名】明細書
【補正対象項目名】０００５
【補正方法】変更
【補正の内容】
【０００５】
以上の課題を解決するために、第一発明は、歩行中の人体を支持するのに、石突部と柄部が弾性体を介して上下動自在に連結し所定以上の荷重が掛かった時に補助脚が下動して路面に接地するように先端部を二重構造とした、複数脚を備える多点支持の杖であって、杖本体１は把持部８と一体になる軸中心として位置する柄管１２と、該柄管１２に備わる弾性体５に石突先端方向に付勢されながら摺動自在に該柄管１２に嵌合した石突スライド軸４と、一端が前記柄管１２と回動可能に連結し別の一端が両端の結合が回動可能なる連結棒３を介して前記石突スライド軸４と連結する前記柄管１２の外周面下部に設けられた断面が円弧状の構造体である補助脚２とを有し、杖本体１の石突部を路面に突くと前記石突スライド軸４の把持部方向への摺動に伴って前記補助脚２を軸中心から放射状に張り出して該補助脚２の下端部を前記石突スライド軸４の下端と同一平面上に接地し、杖本体１の把持部を持ち上げると前記弾性体５の付勢力による前記石突スライド軸４の石突先端方向への摺動に伴って前記補助脚２を前記柄管１２の中心軸に沿って該補助脚２の下端部を前記石突スライド軸４の下端よりも上方に前記柄管１２及び該石突スライド軸４の外周面に折畳んで仕舞い込む杖である。
【手続補正３】
【補正対象書類名】明細書
【補正対象項目名】０００６
【補正方法】変更
【補正の内容】
【０００６】
また、第二発明は、前記補助脚２が折畳んで仕舞い込まれている時に前記連結棒３が鉛直線上よりも前記柄管１２の中心軸方向へは傾かずに必ず放射方向に傾いた恰好に規定される様に、前記補助脚２の内側下部に、前記連結棒３と前記石突スライド軸４との連結部に当接する、受け７を設けた第一発明記載の杖である。
【手続補正４】
【補正対象書類名】明細書
【補正対象項目名】０００７
【補正方法】変更
【補正の内容】
【０００７】
また、第三発明は、第一発明または第二発明記載の杖において、前記石突部の先端にキャスター等の路面上の移動における摩擦抵抗を軽減する部材を取り付けて前記補助脚２を転倒防止装置又はストッパーに利用する単数または複数箇所の足部を有する杖である。
【手続補正５】
【補正対象書類名】明細書
【補正対象項目名】０００９
【補正方法】変更
【補正の内容】
【０００９】
また、第二発明により、杖の石突部が路面に接していない状態から路面を突いた状態に移行する際に、石突スライド軸の上方への摺動に連動して柄管と一体に折畳まれた補助脚を柄管の中心軸に対して確実に放射方向に押しやりながら連結棒を水平方向に傾けられるので、常に補助脚の最下端部を放射方向に開きながら路面に近付けることができる。
【手続補正６】
【補正対象書類名】明細書
【補正対象項目名】００１０
【補正方法】変更
【補正の内容】
【００１０】
また、第三発明により、突いて荷重を負荷した時には補助脚が接地することで杖の移動を止めるストッパーと共に転倒の防止装置としての機能を働かせ、突くのを止めて荷重を除いた時には補助脚が仕舞い込まれて持ち上げたり浮かせたりする必要がなく床面上を転がしたり滑らしたりすることで移動を可能にさせる、各過程に応じた移動のし易さと安定性を兼ね備えた杖を得ることが出来、また、歩行器の足部や脚立の足部あるいは椅子やパイプベッド等の家具類の足部に、さらには、急に傾いたり負荷がかかったりする可能性を有するあらゆるところに第一発明の補助脚を敷衍して利用することで、安全装置として各過程に応じた移動のし易さと安定性の両方を兼ね備えた転倒防止装置又はストッパーを得ることが出来る。
【手続補正７】
【補正対象書類名】明細書
【補正対象項目名】００１１
【補正方法】変更
【補正の内容】
【００１１】
本発明の一実施形態を、図１、図２、図３に示す。
杖本体１の軸中心として位置する柄管１２の外周面下部には、断面を円弧状にすることで強度を高めた構造体で出来た補助脚２が１方向以上に軸中心に対して放射状に設けられている（図では４方向）。この補助脚２は上部の一端が柄管１２と回動可能に連結され、中央部の一端が両端の結合が回動可能なる連結棒３を介して石突スライド軸４と連結されている。
【手続補正８】
【補正対象書類名】明細書
【補正対象項目名】００１２
【補正方法】変更
【補正の内容】
【００１２】
一方、石突スライド軸４は円筒形をした柄管１２の内周面を補助脚２と連結棒３が規定する範囲内を弾性体５による付勢力の下に往復摺動する。
【手続補正９】
【補正対象書類名】明細書
【補正対象項目名】００１３
【補正方法】変更
【補正の内容】
【００１３】
また、この補助脚２と石突スライド軸４の最下端部には路面に密着する様にキャップ６が装着されている。
【手続補正１０】
【補正対象書類名】明細書
【補正対象項目名】００２３
【補正方法】変更
【補正の内容】
【００２３】
また、本発明は、図１の実施形態で示すように単足杖の形をとっているが、他の実施形態では、石突スライド軸4の先端にキャスター類を取り付けたりするなどもして、歩行器の足部や脚立の足部あるいは椅子やパイプベッド等の家具類の足部に、さらには、急に傾いたり重量負荷がかかったりする可能性を有するあらゆるところに、ストッパーや転倒防止のための安全装置として複数設けても良い。（図５）